(57)【特許請求の範囲】
【請求項１】
回転する指針の指示範囲に目盛が設けられた計器装置であって、
前記指針を囲むように設けられ、遮光性を有する枠部材と、
前記枠部材の裏側に位置する板部と、
前記枠部材と前記板部との間に位置する透光枠部であって、前記板部の前記枠部材に向く面の法線方向から見て前記枠部材と重なると共に、前記枠部材の内周側と外周側との少なくとも一方からはみ出る透光枠部と、
前記板部側から前記枠部材に向かって突出する立体目盛部と、
前記板部の裏側に位置し、前記立体目盛部と一体で形成された目盛用導光体と、
前記板部の裏側に位置する第１光源と、
前記板部の裏側に位置して前記目盛用導光体に向けて光を出射する第２光源と、を備え、
前記枠部材には、前記立体目盛部を挿通させる切り欠き又は孔からなる挿通部が形成され、前記挿通部から露出する前記立体目盛部によって前記目盛が表現され、
前記板部のうち、前記法線方向から見て前記透光枠部に覆われている領域には、前記第１光源からの光を透過させる透過部が形成されており、
前記透光枠部は、前記第１光源から出射されて前記透過部を透過した光を受けて発光し、
前記立体目盛部は、透光性を有し、前記板部に設けられた孔と前記挿通部とを通って前記枠部材から露出すると共に、前記第２光源から出射されて前記目盛用導光体に導かれた光によって発光する、
ことを特徴とする計器装置。
【請求項２】
前記板部が載置されるケースを備え、
前記ケースには、前記第１光源からの光が前記透光枠部を発光させるまでに通過する経路と、前記第２光源からの光が前記立体目盛部を発光させるまでに通過する経路とを隔てる壁部が形成されている、
ことを特徴とする請求項１に記載の計器装置。
【請求項３】
前記板部を挟んで前記透光枠部と対向する枠用導光体をさらに備え、
前記ケースは、前記枠用導光体を収納する第１凹部と、前記目盛用導光体を収納する第２凹部と、を有し、
前記壁部は、前記第１凹部と前記第２凹部との間に設けられている、
ことを特徴とする請求項２に記載の計器装置。
【請求項４】
前記第１光源と前記第２光源との少なくとも一方が、二色以上の光を放つことができ、
前記立体目盛部と前記透光枠部とを別色で発光させることができる、
ことを特徴とする請求項１乃至３のいずれか１項に記載の計器装置。
【発明の詳細な説明】
【技術分野】
【０００１】
本発明は、計器装置に関する。
【背景技術】
【０００２】
従来の計器装置として、例えば、特許文献１に開示されたものが知られている。この計器装置は、車両に搭載され、指標が設けられた文字板と、文字板の外周部に取り付けられる遮光性のリングと、リングを貫通して乗員側に突出する立体目盛部を有する導光部と、を備え、導光部で光源からの光を導いて立体目盛部を発光させるものである。
【先行技術文献】
【特許文献】
【０００３】
【特許文献１】特開２０１１−１３１５４号公報
【発明の概要】
【発明が解決しようとする課題】
【０００４】
特許文献１に係る計器装置は、単に立体目盛部を発光させるだけであるので、斬新さの点で改善の余地がある。
【０００５】
本発明は、上記実状に鑑みてなされたものであり、斬新な見栄えの計器装置を提供することを目的とする。
【課題を解決するための手段】
【０００６】
上記目的を達成するため、本発明に係る計器装置は、
回転する指針の指示範囲に目盛が設けられた計器装置であって、
前記指針を囲むように設けられ、遮光性を有する枠部材と、
前記枠部材の裏側に位置する板部と、
前記枠部材と前記板部との間に位置する透光枠部であって、前記板部の前記枠部材に向く面の法線方向から見て前記枠部材と重なると共に、前記枠部材の内周側と外周側との少なくとも一方からはみ出る透光枠部と、
前記板部側から前記枠部材に向かって突出する立体目盛部と、
前記板部の裏側に位置し、前記立体目盛部と一体で形成された目盛用導光体と、
前記板部の裏側に位置する第１光源と、
前記板部の裏側に位置して前記目盛用導光体に向けて光を出射する第２光源と、を備え、
前記枠部材には、前記立体目盛部を挿通させる切り欠き又は孔からなる挿通部が形成され、前記挿通部から露出する前記立体目盛部によって前記目盛が表現され、
前記板部のうち、前記法線方向から見て前記透光枠部に覆われている領域には、前記第１光源からの光を透過させる透過部が形成されており、
前記透光枠部は、前記第１光源から出射されて前記透過部を透過した光を受けて発光し、
前記立体目盛部は、透光性を有し、前記板部に設けられた孔と前記挿通部とを通って前記枠部材から露出すると共に、前記第２光源から出射されて前記目盛用導光体に導かれた光によって発光する、
ことを特徴とする。
【０００８】
前記計器装置は、前記板部が載置されるケースを備え、
前記ケースには、前記第１光源からの光が前記透光枠部を発光させるまでに通過する経路と、前記第２光源からの光が前記立体目盛部を発光させるまでに通過する経路とを隔てる壁部が形成されている、
ようにしてもよい。
【０００９】
前記計器装置は、前記板部を挟んで前記透光枠部と対向する枠用導光体をさらに備え、
前記ケースは、前記枠用導光体を収納する第１凹部と、前記目盛用導光体を収納する第２凹部と、を有し、
前記壁部は、前記第１凹部と前記第２凹部との間に設けられている、
ようにしてもよい。
【００１０】
前記第１光源と前記第２光源との少なくとも一方が、二色以上の光を放つことができ、
前記立体目盛部と前記透光枠部とを別色で発光させることができる、
ようにしてもよい。
【発明の効果】
【００１１】
本発明によれば、斬新な見栄えの計器装置を提供することができる。
【図面の簡単な説明】
【００１２】
【図１】本発明の一実施形態に係る計器装置の平面図である。
【図２】図１に示す計器装置のＡ−Ａ線断面図である。
【図３】枠部材、透光枠部、板部、及び立体目盛部の斜視図である。
【図４】ケースの構造と各光源の配置を示す概略平面図である。
【図５】枠用導光体の平面図である。
【図６】（ａ）は図１に示す計器装置のＢ−Ｂ断面図であり、（ｂ）は図１に示す計器装置のＣ−Ｃ断面図である。
【発明を実施するための形態】
【００１３】
本発明の一実施形態に係る計器装置について図面を参照して説明する。
【００１４】
本実施形態に係る計器装置１００は、図１に示すように、回転する指針１０１と、指針１０１の指示範囲に設けられた目盛１０２や数字１０３（図３参照）とを対比判読させることによって所定の計測量を報知するものである。
【００１５】
計器装置１００は、例えば車両に搭載され、エンジン回転数や車速等を報知する。報知する対象の計測量は限定されるものではないが、以下では説明の理解を容易にするため、計器装置１００がタコメータであるものとする。また、以下では、計器装置１００を構成する各部に対して、計測量を視認するユーザ側を表側、その反対側を裏側として（図２参照）、適宜説明を行う。
【００１６】
計器装置１００は、図１〜図６（ａ）（ｂ）に示すように、回路基板１と、文字板２（板部の一例）と、中ケース３と、枠部材４と、透光枠部５と、枠用導光体６と、目盛用導光体７と、立体目盛部８と、筐体９と、を備える。
【００１７】
なお、図２は計器装置１００のＡ−Ａ線断面図、図６（ａ）はＢ−Ｂ線断面図、図６（ｂ）はＣ−Ｃ線断面図であるが、これらの図では見易さを考慮して断面を示すハッチングを省略した。
【００１８】
回路基板１は、ガラス繊維を含む樹脂等からなる板状の基材に、所定の配線パターンが形成されたプリント回路板である。回路基板１には、モータ１０、第１光源１１、第２光源１２、第３光源１３、指針用光源１４、文字板用光源１５、制御部（図示せず）等が実装されている。
【００１９】
回路基板１に実装された制御部は、マイクロコンピュータと、各光源やモータ１０を駆動するドライバとを有する。制御部は、車両のＥＣＵ（Electronic Control Unit）から通信ラインにより伝送されるエンジン回転数に基づいて、モータ１０を駆動する。モータ１０は、例えばステッピングモータからなり、制御部の制御の下でエンジン回転数に応じて回転軸１０ａを回転させる。指針１０１は、回転軸１０ａに取り付けられ、回転軸１０ａの回転に伴って回転する。指針１０１は、文字板２上で回転し、エンジン回転数に応じた箇所を指示する。指針１０１は、指針用光源１４からの光を受けて先端まで導く導光部材（図示せず）を有し、発光する。
【００２０】
各光源１１〜１５は、例えばＬＥＤ（Light Emitting Diode）から構成され、各々、計器装置１００の表側に向かって光を出射する。
ここで各光源の用途を述べると、（１）第１光源１１は透光枠部５を、（２）第２光源１２は立体目盛部８を、（３）第３光源１３は後述の立体目盛部８Ｗを、（４）指針用光源１４は指針１０１を、（５）文字板用光源１５は文字板２に形成される数字１０３を、照明するために設けられている。
【００２１】
各光源のうち、特に、第１光源１１と第２光源１２とは、各々、二色以上の光を放つことが可能に構成されている。図４に中ケース３に対する第１光源１１と第２光源１２との配置を模式的に示したが、具体的には、第１光源１１の各々は、図６（ａ）に示すように互いに異なる色の光を出射する２つの光源１１ａ，１１ｂから構成されている。同様に、第２光源１２の各々も、図６（ｂ）に示すように２つの光源１２ａ，１２ｂから構成されている。そして、制御部の制御の下で、第１光源１１を構成する光源１１ａ及び光源１１ｂは、一方が点灯し他方が消灯、双方が点灯、又は、双方が消灯可能となっている。同様に、第２光源１２を構成する光源１２ａ及び光源１２ｂも、一方が点灯し他方が消灯、双方が点灯、又は、双方が消灯可能となっている。
この組み合わせにより、例えば、第１光源１１と第２光源１２とは、一方が白色で点灯し、他方が単色で表現される白以外の色で点灯したり、一方が白色で点灯し、他方が混色で表現される白以外の色で点灯したりすることが可能となっている。このようにして、計器装置１００は、立体目盛部８と透光枠部５とを別色で発光可能に構成されている。照明構造の詳細については後に述べる。なお、第１光源１１及び第２光源１２の点灯色の切り替えは、図示しない操作部からのユーザ操作や、ＥＣＵ等から制御部に伝送される車両状態情報の変化などに応じてなされる。
【００２２】
文字板２は、例えば透光性の樹脂からなる透材に印刷が施されたものであり、中ケース３を挟んで回路基板１の表側に位置する。文字板２は、図３に示すように、円状に形成されている。文字板２の裏面には、遮光性印刷層（例えば黒色）が概ね全面に渡って形成されているが、一部が抜き文字状になっている（一部に遮光性印刷層が形成されていない）。この抜き文字部分により文字板２は、数字１０３を表現している。
同様にして、文字板２には、遮光性印刷が施されていない部分で、リング状の透過部２０が形成されている。透過部２０は、図３に示すように、文字板２の周方向に配列された数字１０３を囲むように形成されている。透過部２０は、第１光源１１からの光を、文字板２の表側に配置される透光枠部５へと透過させるために設けられている。
また、文字板２には、立体目盛部８を表側へと通す孔２ａと、モータ１０の回転軸１０ａを表側へと通す孔２ｂと、が設けられている。
【００２３】
中ケース３は、例えばＰＰ（Poly-Propylene）樹脂から白色に形成され、回路基板１の表側に位置する。中ケース３の天面３０に文字板２が載置される。
【００２４】
中ケース３は、主に図４に示すように、第１照明室３ａと、第２照明室３ｂと、第１凹部３１と、第２凹部３２と、第３凹部３３と、を有する。これらは、モータ１０の回転軸１０ａを中心として、同心円状に、第１照明室３ａ、第２照明室３ｂ、第２凹部３２、第１凹部３１の順で配置されている（なお、第３凹部３３は、第２凹部３２が延びる円周方向に沿って、第２凹部３２の隣りに形成されている）。
【００２５】
第１照明室３ａは、指針用光源１４からの光を指針１０１へと効率良く導くために設けられ、モータ１０の回転軸１０ａを文字板２上へと至らせるための開口部と兼用されている。
【００２６】
第２照明室３ｂは、文字板用光源１５からの光を文字板２へと効率良く導くためのものであり、第１照明室３ａを囲むように設けられている。第２照明室３ｂのうち、文字板用光源１５と対向する部分は開口しており、文字板用光源１５からの光を第２照明室３ｂ内に取り込むことができるようになっている。
【００２７】
第２凹部３２は、目盛用導光体７を収納するためのものであり、中ケース３の天面３０から裏側に向かって凹むようにして形成される部分である。第２凹部３２は、第２照明室３ｂを囲むように設けられている。第２凹部３２は、図４に示すように、馬蹄状に形成され、文字板２に扇状に配列された複数の孔２ａの裏側に位置する。第２凹部３２の一端と他端部には、孔３２ａが設けられている。この孔３２ａと対向する位置に第２光源１２が配置され、第２光源１２からの光が目盛用導光体７に到達できるようになっている。
【００２８】
第３凹部３３は、図３に示す、目盛用導光体７と同様に構成される導光体７Ｗを収納するためのものである。第３凹部３３は、第２凹部３２と同一の円周方向の延長上に位置する。第３凹部３３の一端部には、第３光源１３からの光を導光体７Ｗへと到達させるための孔３３ａが設けられている。第３凹部３３は、文字板２に扇状に配列された複数の孔２ａのうち、端部（例えば、図３における数字１０３のうち「７」〜「８」に対応する部分）の裏側に位置する。
第２凹部３２と第３凹部３３とは、複数の孔２ａの形成範囲に渡って中ケース３に設けられている。
【００２９】
第１凹部３１は、図５に示す枠用導光体６を収納するためのものであり、中ケース３の天面３０から裏側に向かって凹むようにして形成される部分である。第１凹部３１は、図４に示すように、平面視で略リング形状をなし、第２凹部３２と第３凹部３３とを囲むように設けられている。具体的には、略リング形状の第１凹部３１は、その円周方向から外径方向に逸れる部分を有し、平面視で風車のような格好となっている。そして、その外径方向に逸れる部分に孔３１ａが設けられている。この孔３１ａと対向する位置に第１光源１１が配置され、第１光源１１からの光が枠用導光体６に到達できるようになっている。
【００３０】
第１照明室３ａ、第２照明室３ｂ、第１凹部３１、第２凹部３２、及び第３凹部３３のうち隣り合うもの同士の間は、それぞれの内部に位置する光源が発する光が、他の光源が発する光と干渉しないように壁部となっている。これら壁部の上端は、中ケース３の天面３０と略面一となっている（図４では、この略面一の部分をドットで着色して表した）。
これら壁部のうち、特に、第１凹部３１と第２凹部３２との間の壁部３４は、第１光源１１からの光が透光枠部５を発光させるまでに通過する経路と、第２光源１２からの光が立体目盛部８を発光させるまでに通過する経路とを隔てるように形成されている。
【００３１】
枠部材４は、リング状に形成され、図１に示すように指針１０１を囲むように設けられる。枠部材４は、文字板２の表側に位置し、平面視で（文字板２の表側の面の法線方向から見て）、文字板２に形成された透過部２０を覆う。枠部材４は、例えばリング状の樹脂材の表面に金属材を蒸着して形成され、金属調に加工されている。また、枠部材４は、遮光性を有する。また、枠部材４には、立体目盛部８により表現される目盛１０２（主目盛）同士の間に位置する副目盛（図示せず）が印刷により施されている。
【００３２】
図３に示すように、枠部材４には、立体目盛部８を表側へと挿通させる切り欠きからなる挿通部４ａが形成されている。なお、挿通部４ａは枠部材４に設けられた孔であってもよい。
【００３３】
透光枠部５は、図３に示すように、透光性を有する樹脂材によりリング状に形成されている。透光枠部５は、枠部材４と文字板２との間に位置する。透光枠部５は、平面視で枠部材４と重なると共に、図１に示すように、枠部材４の外周側からはみ出るようになっている。
具体的には、透光枠部５は、図６（ａ）（ｂ）に示すように断面がＬ字状に形成されており、図３に示すように底面部５０と側壁部５１とを有する、底面部５０は、枠部材４の裏側を支える部分である。側壁部５１は、底面部５０の外周端から表側へと立ち上がり、平面視で枠部材４の外周側からはみ出る部分である。このように露出する側壁部５１の表側の面には、シボ加工等によって拡散処理が施されている。透光枠部５の側壁部５１は、後に述べるように第１光源１１からの光で発光するが、このように拡散処理が施されていることにより、柔らかで均一な光を発することができ、見栄えが良い。
【００３４】
また、図３に示すように、透光枠部５の底面部５０には、裏側から枠部材４へと至る立体目盛部８を逃げる、切り欠きからなる逃部５ａが形成されている。なお、逃部５ａは底面部５０に設けられた孔であってもよい。また、切り欠きや孔ではなく、透光枠部５を細く形成することで立体目盛部８を逃げるような構成としてもよい。
【００３５】
枠用導光体６は、透光性を有する樹脂材からなり、第１光源１１が発した光を導いて、文字板２を裏側からリング状に照明するものである。枠用導光体６は、中ケース３の第１凹部３１に嵌め合わされるように収納される。図５と図４とを比較して分かるように、枠用導光体６は、第１凹部３１と同様の形状に形成され、風車のような格好となっている。
具体的には、枠用導光体６は、文字板２の透過部２０に沿う環状部６０と、環状部６０の円周方向から外径方向に逸れ、且つ、裏側へと垂れ下がるように形成された受光部６１と、を有する。受光部６１は、第１光源１１と対向し、第１光源１１が発した光を受ける。
【００３６】
受光部６１から枠用導光体６の内部に入射した第１光源１１からの光は、環状部６０へと導かれ、環状部６０を発光させる。これにより、枠用導光体６は、文字板２を裏側からリング状に照明する。枠用導光体６からの照明光は、文字板２の透過部２０を透過して、透光枠部５に到達し、透光枠部５を発光させる。これにより、枠部材４からはみ出た透光枠部５の側壁部５１が光輝して視認される。
【００３７】
目盛用導光体７は、透光性を有する樹脂材からなり、第２光源１２が発した光を導いて、立体目盛部８を発光させる。なお、図３に示すように、目盛用導光体７と立体目盛部８は一体に形成されている。目盛用導光体７は、中ケース３の第２凹部３２に嵌め合わされるように収納される。図５と図３とを比較して分かるように、目盛用導光体７は、第２凹部３２と同様に、馬蹄状に形成されている。
具体的には、目盛用導光体７は、立体目盛部８が設けられる本体部７０と、本体部７０の両端から裏側へ垂れ下がるように形成された受光部７１と、を有する。受光部７１は、第２光源１２と対向し、第２光源１２が発した光を受ける。また、本体部７０と受光部７１との間の傾斜部分には、受光部７１から入射した第２光源１２からの光を本体部７０へと拡散反射させる拡散反射部７２が形成されている。拡散反射部７２は、図６（ｂ）に示すように、断面で鋸歯状の溝部である。なお、第２光源１２からの光を効率良く拡散反射させることができれば拡散反射部７２の形状はこれに限られない。
【００３８】
受光部７１から目盛用導光体７の内部に入射した第２光源１２からの光は、拡散反射部７２で拡散反射され、本体部７０へと導かれる。本体部７０へと導かれた光は、立体目盛部８を発光させる。
【００３９】
立体目盛部８は、本体部７０から表側に向かって突出するように形成されている。立体目盛部８は、文字板２の孔２ａ、透光枠部５の逃部５ａ、及び、枠部材４の挿通部４ａを通過して、枠部材４の表側へと露出する。
これにより、立体目盛部８のうち枠部材４から露出した部分が、目盛１０２を表現すると共に、第２光源１２からの光によって光輝して視認される。
【００４０】
なお、第３凹部３３に収納される導光体７Ｗは、目盛用導光体７のように両端部から受光せず、一端部から第３光源１３が発した光を受ける点が異なるが、立体目盛部８と同様の機能を有するため、その詳細は省略する。立体目盛部８Ｗについても同様である。また、第３光源１３は、第２光源１２とは異なる色で点灯する。例えば、第３光源１３は赤色で点灯し、エンジン回転数が異常と想定される範囲に相当する目盛箇所を照明する。
【００４１】
筐体９は、上記各部を収納するものであり、遮光性の樹脂からなる裏ケース９０及び表ケース９１と、表ケース９１に設けられたカバーガラス９１ａと、から構成される。例えば、裏ケース９０は中ケース３と、表ケース９１は裏ケース９０とフック等によって結合（嵌合）される。また、表ケース９１と中ケース３とは、文字板２を挟持するように固定する。カバーガラス９１ａは、表ケース９１の開口端部に固定され、指針１０１や文字板２を透かして視認させる。
【００４２】
ここからは、透光枠部５と立体目盛部８とがどのように発光するかを説明する。
【００４３】
（透光枠部５の発光）
第１光源１１が出射した光は、第１光源１１と対向する受光部６１から枠用導光体６に入射する。枠用導光体６に入射した光は、環状部６０を発光させる。これにより、枠用導光体６は、文字板２を裏側からリング状に照明する。枠用導光体６からの照明光は、文字板２の透過部２０を透過して、透光枠部５に到達し、透光枠部５を発光させる。これにより、枠部材４からはみ出た透光枠部５の側壁部５１が光輝して視認される。
【００４４】
（立体目盛部８の発光）
第２光源１２が出射した光は、第２光源１２と対向する受光部７１から目盛用導光体７に入射する。目盛用導光体７に入射した光は、拡散反射部７２で拡散反射され、本体部７０へと導かれる。本体部７０へと導かれた光は、本体部７０に設けられた立体目盛部８を発光させる。これにより、立体目盛部８のうち、挿通部４ａを通過して、枠部材４の表側へと露出した部分（目盛１０２を表現する部分）が光輝して視認される。
【００４５】
なお、枠用導光体６と目盛用導光体７との間には、中ケース３に設けられた壁部３４が位置している。前述のように、壁部３４は、第１光源１１からの光が透光枠部５を発光させるまでに通過する経路と、第２光源１２からの光が立体目盛部８を発光させるまでに通過する経路とを隔てるように形成されているため、透光枠部５と立体目盛部８とを別色で明瞭に発光させることができる。
【００４６】
以上に説明した計器装置１００は、回転する指針１０１の指示範囲に目盛１０２が設けられた計器装置１００であって、指針１０１を囲むように設けられ、遮光性を有する枠部材４と、枠部材４の裏側に位置する文字板２（板部の一例）と、枠部材４と文字板２との間に位置する透光枠部５であって、平面視で（文字板２の枠部材４に向く面の法線方向から見て）枠部材４と重なると共に、枠部材４の外周側からはみ出る透光枠部５と、文字板２側から枠部材４に向かって突出する立体目盛部８と、文字板２の裏側に位置する第１光源１１（光源の一例）と、を備える。枠部材４には、立体目盛部８を挿通させる切り欠き又は孔からなる挿通部４ａが形成され、挿通部４ａから露出する立体目盛部８によって目盛１０２が表現され、文字板２のうち、前記法線方向から見て透光枠部５に覆われている領域には、第１光源１１からの光を透過させる透過部２０が形成されており、透光枠部５は、第１光源１１から出射されて透過部２０を透過した光を受けて発光する。
この構成によれば、目盛１０２が立体的に視認されるだけでなく、目盛１０２を囲む遮光性の枠部材４の外周端を透光枠部５によって発光させることができるため、見栄えが斬新である。
【００４７】
また、計器装置１００は、文字板２の裏側に位置し、立体目盛部８と一体で形成された目盛用導光体７と、第１光源１１に加え、文字板２の裏側に位置して目盛用導光体７に向けて光を出射する第２光源１２と、を備える。透光枠部５は、第１光源１１から出射されて透過部２０を透過した光を受けて発光し、立体目盛部８は、透光性を有し、文字板２に設けられた孔２ａと挿通部４ａとを通って枠部材４から露出すると共に、第２光源１２から出射されて目盛用導光体７に導かれた光によって発光する。
この構成により、透光枠部５だけでなく、立体目盛部８も光輝させることができるため、より見栄えが斬新である。
【００４８】
また、計器装置１００は、文字板２が載置される中ケース３（ケースの一例）を備え、中ケース３には、第１光源１１からの光が透光枠部５を発光させるまでに通過する経路と、第２光源１２からの光が立体目盛部８を発光させるまでに通過する経路とを隔てる壁部３４が形成されている。
具体的には、計器装置１００は、文字板２を挟んで透光枠部５と対向する枠用導光体６をさらに備え、中ケース３は、枠用導光体６を収納する第１凹部３１と、目盛用導光体７を収納する第２凹部３２と、を有し、壁部３４は、第１凹部３１と第２凹部３２との間に設けられている。
これにより、透光枠部５と立体目盛部８とを明瞭に区分して発光させることができるため、見栄え良い。また、第１光源１１と第２光源１２とを別色で点灯させた際に、意図しない混色を防ぐことができる。
【００４９】
なお、本発明は上記の実施形態及び図面によって限定されるものではない。適宜変更（構成要素の削除も含む）を加えることができるのはもちろんである。
【００５０】
以上の説明では、指針１０１が実体指針である例を示したが、画像により表示される指針であってもよい。この場合、文字板２と同様の構成の板部の裏側に、液晶ディスプレイや有機ＥＬ（Electro-Luminescence）ディスプレイ等の表示装置を設けると共に、板部に表示装置の表示画像を視認させる透光部や窓部を設けて、表示装置に指針を表示させればよい。また、数字１０３についても、文字板２に形成せずに、表示装置が表示するものであってもよい。
【００５１】
また、透光枠部５と立体目盛部８とを別色で発光させない場合は、立体目盛部８を文字板２の表側に配置することも可能である。この場合、例えば透光枠部５と立体目盛部８とを一体で形成し、文字板２の表側に配置すればよい。
【００５２】
以上の説明では、立体目盛部８が主目盛を形成する例を示したが、副目盛も形成してもよい。
【００５３】
また、以上の説明では、枠部材４と透光枠部５と枠用導光体６とをリング状に形成した例を示したが、半円弧状、楕円状、矩形状などに形成してもよい。
【００５４】
また、以上の説明では、発光する透光枠部５が、枠部材４の外周側からはみ出る例を示したが、内周側からはみ出るようにしてもよいし、内周側及び外周側の双方からはみ出るようにしてもよい。
【００５５】
また、以上の説明では、計器装置１００が車両用計器であるものとして説明したが、水上バイク、耕作機械、航空機、船舶、電車等の他の乗り物用の計器であってもよい。
【００５６】
以上の説明では、本発明の理解を容易にするために、重要でない公知の技術的事項の説明を適宜省略した。
【符号の説明】
【００５７】
１００…計器装置
１０１…指針
１０２…目盛
１０３…数字
１…回路基板
１１…第１光源
１２…第２光源
２…文字板、２ａ…孔、２０…透過部
３…中ケース
３１…第１凹部
３２…第２凹部
３４…壁部
４…枠部材、４ａ…挿通部
５…透光枠部、５ａ…逃部
６…枠用導光体
７…目盛用導光体
８…立体目盛部
９…筐体
【図１】
0006018147.tif 000002
【図２】
0006018147.tif 000003
【図３】
0006018147.tif 000004
【図４】
0006018147.tif 000005
【図５】
0006018147.tif 000006
【図６】
0006018147.tif 000007